【手続補正書】
【提出日】令和3年3月25日(2021.3.25)
【手続補正１】
【補正対象書類名】明細書
【補正対象項目名】００２０
【補正方法】変更
【補正の内容】
【００２０】
【図１】図１Ａ〜図１Ｃは、本発明の第１実施形態のコネクタキットの斜視図であり、図１Ａが、蓋、図１Ｂが、光電気混載基板、図１Ｃが、本体を示す。
【図２】図２Ａ〜図２Ｄは、図１Ａ〜図１Ｃに示す光電気混載基板コネクタキットの平面図および底面図であり、図２Ａが、蓋の底面図、図２Ｂが、光電気混載基板の平面図、図２Ｃが、光電気混載基板の底面図、図２Ｄが、本体の平面図を示す。
【図３】図３は、図１Ａ〜図２Ｄに示す光電気混載基板コネクタキットから製造される光電気混載基板コネクタの斜視図を示す。
【図４】図４は、図３に示す光電気混載基板コネクタの平面図を示す。
【図５】図５は、図４に示す光電気混載基板コネクタであり、図５Ａが、ａ−ａ線に沿う断面図、図５Ｂが、正面図を示す。
【図６】図６は、図４の光電気混載基板コネクタの、ｂ−ｂ線に沿う断面図を示す。
【図７】図７は、図３に示す光電気混載基板コネクタの変形例の斜視図を示す。
【図８】図８Ａ〜図８Ｄは、本発明の第２実施形態および変形例の光電気混載基板コネクタキットの平面図、底面図および斜視図であり、ｈＡが、蓋の底面図、図８Ｂが、光電気混載基板の平面図、図８Ｃが、光電気混載基板の底面図、図８Ｄが、本体の平面図、図８Ｅが、図８Ｄの仮想線で示す変形例であって、図８Ｄのａ−ａに沿う断面図を示す。
【図９】図９は、図８Ａ〜図８Ｃに示す光電気混載基板コネクタキットから製造される光電気混載基板コネクタの、図８Ｄのａ−ａ線に対応する断面図を示す。
【図１０】図１０は、図９に示す光電気混載基板コネクタの長手方向に沿う断面図を示す。
【図１１】図１１は、図９および図１０に示す光電気混載基板コネクタを後方下側から見た斜視図を示す。
【図１２】図１２Ａ〜図１２Ｄは、本発明の第３実施形態の光電気混載基板コネクタキットの平面図および底面図であり、図１２Ａが、蓋の底面図、図１２Ｂが、光電気混載基板の平面図、図１２Ｃが、光電気混載基板の底面図、図１２Ｄが、本体の平面図を示す。
【図１３】図１３は、図１２Ａ〜図１２Ｃに示す光電気混載基板コネクタキットから製造される光電気混載基板コネクタの、図１２Ａ〜図１２Ｄのａ−ａ線に対応する断面図を示す。
【図１４】図１４は、図１３に示す光電気混載基板コネクタの後方上側から見た斜視図を示す。
【図１５】図１５Ａ〜図１５Ｅは、本発明の第３実施形態および変形例の光電気混載基板コネクタキットの平面図および底面図であり、図１５Ａが、蓋の底面図、図１５Ｂが、光電気混載基板の平面図、図１５Ｃが、光電気混載基板の底面図、図１５Ｄが、本体の平面図、図１５Ｅが、図１５Ｄの仮想線で示す変形例であって、図１５Ｄのａ−ａに沿う断面図を示す。
【図１６】図１６  は、図１５〜図１５Ｅに示す光電気混載基板コネクタキットから製造される光電気混載基板コネクタを、上方先側から見た斜視図を示す。
【図１７】図１７Ａ〜図１７Ｄは、本発明の第３実施形態の変形例の光電気混載基板コネクタキットの平面図および底面図であり、図１７Ａが、蓋の底面図、図１７Ｂが、光電気混載基板の平面図、図１７Ｃが、光電気混載基板の底面図、図１７Ｄが、本体の平面図を示す。
【図１８】図１８Ａ〜図１８Ｄは、さらなる変形例の光電気混載基板コネクタキットの平面図および底面図であり、図１８Ａが、蓋の底面図、図１８Ｂが、光電気混載基板の平面図、図１８Ｃが、光電気混載基板の底面図、図１８Ｄが、本体の平面図を示す。
【図１９】図１９Ａ〜図１９Ｄは、さらなる変形例の光電気混載基板コネクタキットの平面図および底面図であり、図１９Ａが、蓋の底面図、図１９Ｂが、光電気混載基板の平面図、図１９Ｃが、光電気混載基板の底面図、図１９Ｄが、本体の平面図を示す。
【図２０】図２０Ａ〜図２０Ｃは、本発明の具体例１の光電気混載基板コネクタキットの平面図および底面図であり、図２０Ａが、蓋の底面図、図２０Ｂが、光電気混載基板の平面図、図２０Ｃが、光電気混載基板の底面図、図２０Ｄが、本体の平面図を示す。
【図２１】図２１Ａ〜図２１Ｃは、図２０Ａ〜図２０Ｄに示す光電気混載基板コネクタキットから製造される光電気混載基板コネクタの断面図であり、図２１Ａが、ａ−ａ線に沿う断面図、図２１Ｂが、ｂ−ｂ線に沿う断面図、図２１Ｃが、ｃ−ｃ線に沿う断面図を示す。
【図２２】図２２は、図２０Ａ〜図２０Ｄに示す光電気混載基板コネクタキットから製造される光電気混載基板コネクタのｄ−ｄ線に沿う断面図を示す。
【図２３】図２３は、図２０Ａ〜図２０Ｄに示す光電気混載基板コネクタキットの斜視図であり、図２３Ａが、蓋、図２３Ｂが、光電気混載基板、図２３Ｃが、本体を示す。
【図２４】図２４は、図２３Ａ〜図２３Ｃに示す光電気混載基板コネクタキットから製造される光電気混載基板コネクタの斜視図を示す。
【図２５】図２５  は、本発明の具体例２の光電気混載基板コネクタキットから製造される光電気混載基板コネクタの長手方向に沿う断面図を示す。
【図２６】図２６Ａ〜図２６Ｃは、本発明の具体例３の光電気混載基板コネクタキットの平面図および底面図であり、図２６Ａが、蓋の底面図、図２６Ｂが、光電気混載基板の平面図、図２６Ｃが、光電気混載基板の底面図、図２６Ｄが、本体の平面図を示す。
【図２７】図２７Ａ〜図２７Ｃは、図２６Ａ〜図２６Ｄに示す光電気混載基板コネクタキットから製造される光電気混載基板コネクタの断面図であり、図２７Ａが、ａ−ａ線に沿う断面図、図２７Ｂが、ｂ−ｂ線に沿う断面図、図２７Ｃが、ｃ−ｃ線に沿う断面図を示す。
【図２８】図２８は、図２６Ａ〜図２６Ｄに示す光電気混載基板コネクタキットから製造される光電気混載基板コネクタのｄ−ｄ線に沿う断面図を示す。
【手続補正２】
【補正対象書類名】明細書
【補正対象項目名】００２８
【補正方法】変更
【補正の内容】
【００２８】
なお、光電気混載基板コネクタキット１は、光電気混載基板コネクタ１８の完成品ではなく、部品のセットであり、コネクタ３および光電気混載基板２は、セット販売される。
【手続補正３】
【補正対象書類名】明細書
【補正対象項目名】００５４
【補正方法】変更
【補正の内容】
【００５４】
図３、図４および図５Ａに示すように、第２先嵌合面２６および第２後嵌合面２７は、光電気混載基板２が収容空間２９に収容されるときに、光電気混載基板２の第１先嵌合面１５および第１後嵌合面１６のそれぞれと、嵌合（接触）できるように構成される。具体的には、第２連結面２８の長さ（第２先嵌合面２６および第２連結面２７間の長さ）は、第１連結面１７の長さと同一である。
【手続補正４】
【補正対象書類名】明細書
【補正対象項目名】０１１９
【補正方法】変更
【補正の内容】
【０１１９】
一方、図６の実線で示すように、第２横溝４２および第３横溝４３が、先後方向において同一位置に配置される場合には、第２横溝４２および第３横溝４３が連通する。かかる（境界部分）に充填される接着剤１９は、光導波路５および蓋２２のいずれにも接触しない。
【手続補正５】
【補正対象書類名】明細書
【補正対象項目名】０１２７
【補正方法】変更
【補正の内容】
【０１２７】
図５Ａに示すように、第１実施形態では、接着剤１９を左側の開口部７０に注入している。しかし、これに限定されず、例えば、接着剤１９を、左右両側の開口部７０に注入することもできる。
【手続補正６】
【補正対象書類名】明細書
【補正対象項目名】０１３４
【補正方法】変更
【補正の内容】
【０１３４】
図２７Ａに示すように、左右両側にそれぞれ２つある第１側開口部７７は、上下方向における位置が異なっていてもよく、あるいは、図２７Ｂ（の符号７８）が参照されるように、同一位置にあってもよい。
【手続補正７】
【補正対象書類名】明細書
【補正対象項目名】０１６４
【補正方法】変更
【補正の内容】
【０１６４】
一方、図９の実線で示すように、第２後縦溝５２および第３後縦溝５３が、左右方向において同一位置に配置される場合には、第２後縦溝５２および第３後縦溝５３が連通する。かかる（境界部分）に充填される接着剤１９は、光導波路５および蓋２２のいずれにも接触しない。
【手続補正８】
【補正対象書類名】明細書
【補正対象項目名】０１６５
【補正方法】変更
【補正の内容】
【０１６５】
他方、図９の仮想線で示すように、第２後縦溝５２および第３後縦溝５３が左右方向にずれれば、第２後縦溝５２に充填される接着剤１９は、本体２１における上記した上面に接触し、第３後縦溝５３に充填される接着剤１９は、光電気混載基板２における上記した下面に接触する。そのため、接着剤１９の本体２１および光電気混載基板２に対する接触面積を増大させることができる。その結果、本体２１と光電気混載基板２との接着力をより一層向上させることができる。
【手続補正９】
【補正対象書類名】明細書
【補正対象項目名】０２０９
【補正方法】変更
【補正の内容】
【０２０９】
一方、第２先縦溝６２および第３先縦溝６３が、左右方向において同一位置に配置される場合には、第２先縦溝６２および第３先縦溝６３が連通する。かかる（境界部分）に充填される接着剤１９は、光導波路５および蓋２２のいずれにも接触しない。
【手続補正１０】
【補正対象書類名】明細書
【補正対象項目名】０２１０
【補正方法】変更
【補正の内容】
【０２１０】
他方、第２先縦溝６２および第３先縦溝６３が左右方向にずれれば、第２先縦溝６２に充填される接着剤１９は、本体２１における上記した上面に接触し、第３先縦溝６３に充填される接着剤１９は、光電気混載基板２における上記した下面に接触する。そのため、接着剤１９の本体２１および光電気混載基板２に対する接触面積を増大させることができる。その結果、本体２１と光電気混載基板２との接着力をより一層向上させることができる。
【手続補正１１】
【補正対象書類名】明細書
【補正対象項目名】０２１６
【補正方法】変更
【補正の内容】
【０２１６】
図１７Ａ〜図１７Ｃに示すように、中央横溝４０に代えて、第３開口部７３を設けることもできる。なお、図１７Ａ〜図１７Ｃにおいて、コア層１１は、第３開口部７３および先縦溝６０の配置および形状を明確に示すために、省略する。
【手続補正１２】
【補正対象書類名】明細書
【補正対象項目名】０２６４
【補正方法】変更
【補正の内容】
【０２６４】
１ コネクタキット
２ 光電気混載基板
３ コネクタ
４ 電気回路基板
５  光導波路
２２ 蓋
２１ 本体
２３ 底壁
２９ 収容空間
４０ 中央横溝
４１ 第１横溝
４２ 第２横溝
４３ 第３横溝
４４ 第４横溝
５０ 後縦溝
５１ 第１後縦溝
５２ 第２後縦溝
５３ 第３後縦溝
５４ 第４後縦溝
６０ 先縦溝
６１ 第１先縦溝
６２ 第２先縦溝
６３ 第３先縦溝
６４ 第４先縦溝
７０ 開口部
７３ 第３開口部
７６ 第６開口部
７７ 第１側開口部
７８ 第２側開口部
８８ 光導波路コネクタ
【手続補正１３】
【補正対象書類名】図面
【補正対象項目名】図１
【補正方法】変更
【補正の内容】
【図１】
2018173635.tif 000001
【手続補正１４】
【補正対象書類名】図面
【補正対象項目名】図２
【補正方法】変更
【補正の内容】
【図２】
2018173635.tif 000002
【手続補正１５】
【補正対象書類名】図面
【補正対象項目名】図８
【補正方法】変更
【補正の内容】
【図８】
2018173635.tif 000003
【手続補正１６】
【補正対象書類名】図面
【補正対象項目名】図１２
【補正方法】変更
【補正の内容】
【図１２】
2018173635.tif 000004
【手続補正１７】
【補正対象書類名】図面
【補正対象項目名】図１８
【補正方法】変更
【補正の内容】
【図１８】
2018173635.tif 000005
【手続補正１８】
【補正対象書類名】図面
【補正対象項目名】図１９
【補正方法】変更
【補正の内容】
【図１９】
2018173635.tif 000006